(57)【要約】      （修正有）【解決手段】１２表示板は１３ギャ−部分と固定されていて１７重りの重さによりノブを回した時は動かず、ノブが戻る時、板バネがギャ−部分の先端に引っかかった時にドアノブと同じだけ回転する。１７重りは重力の掛かる方向へ表示板付ギャ−内を自由に動く。ドアノブは通常７５度前後回転するので、ギャ−の個数を６個にしているがギャ−の個数はドアノブの回転度数に応じて変化させる。【効果】トイレや風呂等のドア等がロックする事なく開、閉、が表示され内部のアクシデントに対して迅速に対応がとれる。【選択図】図１
2007016576.tif 000002
【特許請求の範囲】
【請求項１】
トイレや風呂等のドア等の開、閉、の表示をロックを掛けなくても人が出入する事で表示する。
【発明の詳細な説明】
【発明の詳細な説明】
【技術分野】本発明はトイレや風呂等のドア等のドアノブや取手等に関するものである。
【背景技術】今売り出されている、トイレや風呂等のドアの開、閉、表示はドアノブや取手と同一部分のロック又はドアノブや取手部分と別のロック装置によって表示されている。
【発明が解決しょうとする課題】
本発明は従来のロックが掛かった状態しか閉の表示がされず、ロックしていない時は開の表示になっているので、間違ってトイレや風呂等のドアが開けられたり、ロックして使用している閉の表示の場合はトイレや風呂等のドアの内側が心配な場合、例えばドアの内側での病気（脳梗塞やくも膜下出血等）やケガ等、突然のアクシデントがあった場合、又、子供や認知症の心配な方々が、使用している場合はロック装置がじゃまになるので、ロックを掛けないで使用する方が安心であり突然のアクシデントがあった場合に救助等に非常に困ってしまい、一刻を争う人命にかかわるような問題を解決できる。
【課題を解決する為の手段】
ドアを開けたり閉めたりする度に開、閉、が表示されるドアノブや取手を使用する事により、室内に人が入っているかどうかが、ロックしないで、ドアを開けたり閉めたりするだけで区別ができる。又、ロック装置は開けたり閉めたりする毎に開、閉、を表示できるドアノブや取手と同一部分に付けたり、、別にロック装置を付ければよい。
片側が蝶番で固定しているドアのドアノブについては図面１の様な装置による。その他の取手については図面２の様な装置によるが形態が多種にわたるので個々の形態については省略するが２１飾り板の裏側の２３表示装置部分に図面１の装置か又はそれと同等の装置を使用する。
【発明を実施するための最良の形態】ドアノブについては図面１によるが、図面１は左側が蝶番で固定されている外側から左回りのドアノブの場合である。
2007016576.tif 000003
る板バネで、１１ノブ内側に固定されている。
１２表示板は１３ギャ−部分と固定されていて１７重りの重さによりノブを回した時は動かず、ノブが戻る時、板バネがギャ−部分の先端に引っかかった時にドアノブと同じだけ回転する。
１７重りは重力の掛かる方向へ表示板付ギャ−内を自由に動く。
ドアノブは通常７５度前後回転するので、ギャ−の個数を６個にしているがギャ−の個数はドアノブの回転度数に応じて変化させる。
又、逆回転のドアノブについては、逆の内部構造とする。
図面２のようなドアの取手についても多種に渡るが、２１飾り板の裏側に図面１、と同様又は、同等な装置をつける。
引き戸の場合は図面３によるが、引き手に関しても様々な形状があるが基本的な長方形の引き手について記してある。
３７表示部分は、ドアと固着していて３６引き手は遊び分だけ左右に動き左から押せば右に動き、右から押せば左に動く。
開、閉、の表示は他の文字や色等を使って表現する事もできる。
図面１図面２において開、閉、の表示が狂えばドアノブや取手を１回、回すだけで簡単に修正できる。
【発明の効果】
トイレや風呂等のドア等がロックする事なく開、閉、が表示され内部でのアクシデントに対して迅速に対応がとれる。
【図面の簡単な説明】
【図１】左側が蝶番によって固定されたドアの外側より、左回しのドアノブである。  図１−１  正面図  図１−２  側断面図  図１−３  Ｌ字型板バネ部
【図２】片側が蝶番により固定されたドアの取手である。  図２−１  正面図  図２−２  側面図
【図３】スライド式の引き戸の引き手である。  図３−１  上から見た開、の状態である。  図３−２  上から見た閉、の状態である。  図３−３  正面から見た開、の状態である。  図３−４  正面から見た閉、の状態である。
【符号の説明】
図面１  １１  ドアノブ        １６  心棒
１２  表示板          １７  重り
１３  ギヤ−部分      １８  裏板
１４  表示窓          １９  Ｌ字型板バネ固定部分
１５  Ｌ字型板バネ
図面２  ２１  飾り板          ２３  表示装置部
２２  表示窓          ２４  ドアノブ
図面３  ３１  スライド式ドア  ３５  表示窓
３２  支柱            ３６  引き手
３３  閉表示部        ３７  表示部
３４  開表示部
【図１】
2007016576.tif 000004
【図２】
2007016576.tif 000005
【図３】
2007016576.tif 000006
【手続補正書】
【提出日】平成17年11月24日(2005.11.24)
【手続補正１】
【補正対象書類名】明細書
【補正対象項目名】全文
【補正方法】変更
【補正の内容】
【発明の詳細な説明】
【発明の詳細な説明】
【技術分野】
【０００１】本発明はトイレや風呂等のドア等のドアノブや取手等に関するものである。
【背景技術】
【０００２】今売り出されている、トイレや風呂等のドアの開、閉、表示はドアノブや取手と同一部分のロック又はドアノブや取手部分と別のロック装置によって表示されている。
【発明が解決しょうとする課題】
【０００３】本発明は従来のロックが掛かった状態しか閉の表示がされず、ロックしていない時は開の表示になっているので、間違ってトイレや風呂等のドアが開けられたり、ロックして使用している閉の表示の場合はトイレや風呂等のドアの内側が心配な場合、例えばドアの内側での病気（脳梗塞やくも膜下出血等）やケガ等、突然のアクシデントがあった場合、又、子供や認知症の心配な方々が、使用している場合はロック装置がじゃまになるので、ロックを掛けないで使用する方が安心であり突然のアクシデントがあった場合に救助等に非常に困ってしまい、一刻を争う人命にかかわるような問題を解決できる。
【課題を解決する為の手段】
【０００４】ドアを開けたり閉めたりする度に開、閉、が表示されるドアノブや取手を使用する事により、室内に人が入っているかどうかが、ロックしないで、ドアを開けたり閉めたりするだけで区別ができる。又、ロック装置は開けたり閉めたりする毎に開、閉、を表示できるドアノブや取手と同一部分に付けたり、、別にロック装置を付ければよい。
2007016576.tif 000007
態が多種にわたるので個々の形態については省略するが２１飾り板の裏側の
2007016576.tif 000008
【発明を実施するための最良の形態】
【０００５】
2007016576.tif 000009
いる外側から左回りのドアノブの場合である。
2007016576.tif 000010
る板バネで、１１ノブ内側に固定されている。
１２表示板は１３ギャ−部分と固定されていて１７重りの重さによりノブを回した時は動かず、ノブが戻る時、板バネがギャ−部分の先端に引っかかった時にドアノブと同じだけ回転する。
１７重りは重力の掛かる方向へ表示板付ギャ−内を自由に動く。
ドアノブは通常７５度前後回転するので、ギャ−の個数を６個にしているがギャ−の個数はドアノブの回転度数に応じて変化させる。
又、逆回転のドアノブについては、逆の内部構造とする。
2007016576.tif 000011
表示窓付カバ−はドアノブと固定されていてドアノブと一体化され、、内部て板バネが固定されているので全ては同一の動きをする。
表示板は４９カギ部が４８板バネに力をかけられた分だけ回転する。
図４−４の４８板バネは→の方向に弾性をもつ。
図４−５のように４９カギ部はドアノブを回転すると→の方向に回転する。
図４−６のようにドアノブが戻る場合は４８板バネが内側に押され４９カギ図４−６のようにドアノブが戻る場合は４１０の表示板に付いている４９カギ部が４８板バネを内側に押すノデ４９カギ部は移動しない。
図面２のようなドアの取手についても多種に渡るが、２１飾り板の裏側に図面１、と同様又は、同等な装置をつける。
2007016576.tif 000012
基本的な長方形の引き手について記してある。
３７表示部分は、ドアと固着していて３６引き手は遊び分だけ左右に動き左から押せば右に動き、右から押せば左に動く。
開、閉、の表示は他の文字や色等を使って表現する事もできる。
2007016576.tif 000013
１回、回すだけで簡単に修正できる。
【発明の効果】
【０００６】トイレや風呂等のドア等がロックする事なく開、閉、が表示され内部でのアクシデントに対して迅速に対応がとれる。
【図面の簡単な説明】
【０００７】
【図１】  左側が蝶番によって固定されたドアの外側より、左回しのドアノブである。  図１−１  正面図  図１−２  側断面図  図１−３  Ｌ字型板バネ部
【図２】  片側が蝶番により固定されたドアの取手である。  図２−１  正面図  図２−２  側面図
【図３】  スライド式の引き戸の引き手である。  図３−１  上から見た開、の状態である。  図３−２  上から見た閉、の状態である。  図３−３  正面から見た開、の状態である。  図３−４  正面から見た閉、の状態である。
【図４】  左側が蝶番によって固定されたドアの外側より、右回しのドアノブである。  図４−１  横から見た全体図  図４−２  上から見た全体図  図４−３  上から見たカギ部  図４−４  上から見た板バネ部  図４−５  カギ部、板バネ部  図４−６  カギ部、板バネ部  図４−７  正面から見たカギ部、板バネ部  図４−８  正面から見た全体図
【符号の説明】
［図面１］  １１  ドアノブ        １６  心棒
１２  表示板          １７  重り
１３  ギヤ−部分      １８  裏板
１４  表示窓          １９  Ｌ字型板バネ固定部分
１５  Ｌ字型板バネ
［図面２］  ２１  飾り板          ２３  表示装置部
２２  表示窓          ２４  ドアノブ
［図面３］  ３１  スライド式ドア  ３５  表示窓
３２  支柱            ３６  引き手
３３  閉表示部        ３７  表示部
３４  開表示部
［図面４］  ４１  ドアノブ        ４６  表示部
４２  ドア            ４７  固定板
４３  心棒            ４８  板バネ
４４  表示部カバ−    ４９  カギ部
４５  表示窓          ４１０  表示板
【手続補正２】
【補正対象書類名】図面
【補正対象項目名】図面４
【補正方法】追加
【補正の内容】
【図４】
2007016576.tif 000014
2007016576.tif 000015
2007016576.tif 000016